(57)【特許請求の範囲】
【請求項１】
目地部を介して設けられた左右の建物の目地部側の外壁面に両端部が枢支された中央部に中央枢支部を有する少なくとも２個以上の伸縮リンク機構と、この少なくとも２個以上の伸縮リンク機構の中央枢支部に中央部が枢支された、前記目地部の半分を覆う中央カバープレートと、この中央カバープレートの両端部と前記目地部側の外壁面に両端部が枢支された少なくとも１個以上の中央枢支部を有する少なくとも２対以上の両側伸縮リンク機構と、この少なくとも２対以上の両側伸縮リンク機構の中央枢支部に後端部が枢支され、先端部が前記中央カバープレートあるいは隣りとスライド移動可能に重なる少なくとも１対以上のスライドカバープレートと、前記少なくとも２対以上の両側伸縮リンク機構の目地部側の外壁面側に後端部が枢支され、先端部が前記少なくとも１対以上のスライドカバープレートにスライド移動可能に重なる１対の固定カバープレートとからなることを特徴とする壁用目地カバー装置。
【請求項２】
少なくとも２個以上の伸縮リンク機構は１個の四角枠形状あるいはパンタグラフ形状の２個の四角枠形状に形成されたものが使用され、少なくとも２対以上の両側伸縮リンク機構は１個の四角枠形状で、対向するバー部材の中央部あるいは所定間隔で中央枢支部を有する中央枢支バーが枢支されたものであることを特徴とする請求項１記載の壁用目地カバー装置。
【発明の詳細な説明】
【技術分野】
【０００１】
本発明は目地部を介して設けられた左右の建物の外壁面間を覆う壁用目地カバー装置に関する。
【背景技術】
【０００２】
従来、この種の壁用目地カバー装置は、目地部を覆う複数枚のスライド移動可能に重なり合うカバープレートをパンタグラフ形状の伸縮リンク機構で支持している。
このため、伸縮リンク機構が伸縮しても、隙間が生じないようにカバープレートの幅寸法を設定しなければならず、その設定の自由度が低いとともに、パンタグラフ形状の伸縮リンクが長くなり、十分な強度が得られないという欠点があった。
【先行技術文献】
【特許文献】
【０００３】
【特許文献１】特開２００１−２０３９４号公報
【特許文献２】特開２００６−３２２１３２号公報
【発明の概要】
【発明が解決しようとする課題】
【０００４】
本発明は以上のような従来の欠点に鑑み、中央カバープレートの両側部に位置するカバープレートの幅寸法を比較的に楽に設定することができるとともに、十分な強度が得られる伸縮リンク機構を用いることができ、安全で、十分な強度が得られる壁用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側の外壁面に両端部が枢支された中央部に中央枢支部を有する少なくとも２個以上の伸縮リンク機構と、この少なくとも２個以上の伸縮リンク機構の中央枢支部に中央部が枢支された、前記目地部の半分を覆う中央カバープレートと、この中央カバープレートの両端部と前記目地部側の外壁面に両端部が枢支された少なくとも１個以上の中央枢支部を有する少なくとも２対以上の両側伸縮リンク機構と、この少なくとも２対以上の両側伸縮リンク機構の中央枢支部に後端部が枢支され、先端部が前記中央カバープレートあるいは隣りとスライド移動可能に重なる少なくとも１対以上のスライドカバープレートと、前記少なくとも２対以上の両側伸縮リンク機構の目地部側の外壁面側に後端部が枢支され、先端部が前記少なくとも１対以上のスライドカバープレートにスライド移動可能に重なる１対の固定カバープレートとで壁用目地カバー装置を構成している。
【発明の効果】
【０００７】
以上の説明から明らかなように、本発明にあっては次に列挙する効果が得られる。
（１）請求項１により、伸縮リンク機構の伸縮量の大きさよりも、小さな大きさの伸縮量の両側伸縮リンク機構を用いることができる。
したがって、両側伸縮リンク機構でスライド移動させる少なくとも１対以上のスライドカバープレートの移動量を小さく設定することができ、全体で目地部が広くなったり、狭くなったりする大きな揺れ動きを吸収することができる。
（２）前記（１）によって、中央カバープレートは伸縮リンク機構で、目地部の中央部に位置するように支持し、両側伸縮リンク機構で１対の固定カバープレートおよび１対のスライドカバープレートを支持するので、従来のように１個の伸縮リンク機構で全てを支持するものに比べ、伸縮リンク機構に加わる荷重が大きくなったり、四角枠のリンクを多く用いて長くなり、強度が弱くなる伸縮リンク機構を用いなくてもよい。
（３）前記（１）によって、両側伸縮リンク機構の伸縮量は左右の建物の目地部側外壁面と中央カバープレートとの間の寸法でよいので、容易に両側伸縮リンク機構を設定することができるとともに、１対のスライドカバープレートおよび１対の固定カバープレートの幅寸法を、隙間が生じないように容易に設定することができる。
（４）請求項２も前記（１）〜（３）と同様な効果が得られる。
【図面の簡単な説明】
【０００８】
【図１】本発明を実施するための第１の形態の正面図。
【図２】本発明を実施するための第１の形態の背面図。
【図３】図１の３−３線に沿う断面図。
【図４】本発明を実施するための第１の形態の中央カバープレートの取付け状態の説明図。
【図５】本発明を実施するための第１の形態の両側伸縮リンク機構を取付けた状態の説明図。
【図６】本発明を実施するための第１の形態の地震で目地部が広くなった状態の説明図。
【図７】本発明を実施するための第１の形態の地震で目地部が狭くなった状態の説明図。
【図８】本発明を実施するための第１の形態の地震で左右の建物が異なる前後方向に揺れ動いた状態の説明図。
【図９】本発明を実施するための第２の形態の正面図。
【図１０】本発明を実施するための第２の形態の背面図。
【図１１】図９の１１−１１線に沿う断面図。
【図１２】本発明を実施するための第３の形態の正面図。
【図１３】本発明を実施するための第３の形態の背面図。
【図１４】図１２の１４−１４線に沿う断面図。
【発明を実施するための形態】
【０００９】
以下、図面に示す本発明を実施するための形態により、本発明を詳細に説明する。
【００１０】
図１ないし図８に示す本発明を実施するための第１の形態において、１は目地部２を介して設けられた左右の建物３、３の目地部側の外壁面３ａ、３ａ間を覆う本発明の壁用目地カバー装置で、この壁用目地カバー装置１は前記左右の建物３、３の目地部側の外壁面３ａ、３ａにヒンジ部材４、４を介して両端部が枢支ピン５、５で枢支された四角枠形状で、中央部に中央枢支部６を有する少なくとも２個以上の伸縮リンク機構７、７と、この少なくとも２個以上の伸縮リンク機構７、７の中央枢支部６、６に中央部の枢支ピン８、８が枢支された、前記目地部２のほぼ半分を覆う中央カバープレート９と、この中央カバープレート９の両端部と前記目地部側の外壁面３ａ、３ａに両端部が枢支された中央部に中央枢支部１０を有する少なくとも２対以上、本発明の実施の形態では３対の両側伸縮リンク機構１１、１１、１１、１１、１１、１１と、この両側伸縮リンク機構１１、１１、１１、１１、１１、１１の中央枢支部１０、１０、１０、１０、１０、１０に、必要に応じて枢支ピン１２、１２、１２で枢支された支柱１３、１３と、この支柱１３、１３あるいは中央枢支部１０、１０、１０に後端部が固定され、先端部が前記中央カバープレート９にスライド移動可能に重なる１対のスライドカバープレート１４、１４と、前記両側伸縮リンク機構１１、１１、１１、１１、１１、１１の目地部側の外壁面３ａ、３ａ側に後端部が枢支され、先端部が前記スライドカバープレート１４、１４にスライド移動可能に重なる１対の固定カバープレート１５、１５と、この１対の固定カバープレート１５、１５の後端部と前記外壁面３ａ、３ａとの間をシールするシール剤１６、１６とで構成されている。
【００１１】
前記伸縮リンク機構７、７は四角枠形状のリンク１７と、このリンク１７の両端部の枢支部１８、１８に枢支ピン５、５で枢支されたヒンジ部材４、４と、前記リンク１７の対向するアーム１７ａ、１７ａの中央部に、両端部が枢支ピン１９、１９で枢支された中央アーム２０と、この中央アーム２０の中心部に形成された中央枢支部６とで構成されている。
【００１２】
前記両側伸縮リンク機構１１、１１、１１、１１、１１、１１は前記伸縮リンク機構７のリンク１７よりも小さな四角枠状のリンク２１と、このリンク２１の両端部の枢支部２２、２２に枢支ピン２３、２３で枢支されたヒンジ部材２４、２４と、前記リンク２１の対向するアーム２１ａ、２１ａの中央部に両端部が枢支ピン２５、２５で枢支された中央アーム２６と、この中央アーム２６の中心部に形成された中央枢支部１０とで構成されている。
【００１３】
上記構成の壁用目地カバー装置１は、２個以上の伸縮リンク機構７、７を目地部側の外壁面３ａ、３ａに取付ける。
【００１４】
この時、あらかじめ２個以上の伸縮リンク機構７、７の中央枢支部６、６に中央カバープレート９が取付けられていてもよく、あるいは２個以上の伸縮リンク機構７、７を取付けた後に取付けてもよい。
【００１５】
しかる後に、中央カバープレート９の端部と目地部側の外壁面３ａ、３ａとの間に３対の両側伸縮リンク機構１１、１１、１１、１１、１１、１１を取付けるとともに、その中央枢支部１０、１０、１０、１０、１０、１０に支柱１３、１３を枢支ピン１２、１２、１２、１２、１２、１２で枢支する。
【００１６】
次に、該支柱１３、１３に先端部が前記中央カバープレート９に重なってスライド移動できるようにスライドカバープレート１４、１４の後端部を固定する。
【００１７】
しかる後、後端部が前記両側伸縮リンク機構１１、１１、１１、１１、１１、１１の外壁側の枢支部２２、２２、２２、２２、２２、２２に枢支され、先端部が前記スライドカバープレート１４、１４と重なってスライド移動できるように固定カバープレート１５、１５を取付け、該固定カバープレート１５、１５の後端部と外壁面３ａ、３ａとの間をシール剤１６でシールすることにより、取付けが完了する。
【００１８】
このように構成された壁用目地カバー装置１は、通常時には左右の建物３、３の外壁面３ａ、３ａ間の目地部２は、中央カバープレート９、１対のスライドカバープレート１４、１４および１対の固定カバープレート１５、１５で覆われている。
【００１９】
地震で目地部２が広くなると、図６に示すように中央カバープレート９は２個の伸縮リンク機構７、７によって中央部が目地部２の中央部に位置するように支持されるとともに、３対の両側伸縮リンク機構１１、１１、１１、１１、１１、１１は伸長するため、１対のスライドカバープレート１４、１４の先端部は中央カバープレート９の両端部方向へスライド移動し、１対の固定カバープレート１５、１５の先端部も１対のスライドカバープレート１４、１４の後端部方向へスライド移動して、その揺れ動きを吸収する。
【００２０】
地震で目地部２が狭くなると、図７に示すように中央カバープレート９は２個の伸縮リンク機構７、７によって中央部が目地部２の中央部に位置するように支持されるとともに、３対の両側伸縮リンク機構１１、１１、１１、１１、１１、１１は収縮するため、１対のスライドカバープレート１４、１４の先端部は中央カバープレート９との重なりが大きくなるようにスライド移動し、１対の固定カバープレート１５、１５の先端部も１対のスライドカバープレート１４、１４との重なりが大きくなるようにスライド移動して、その揺れ動きを吸収する。
【００２１】
地震で左右の建物３、３が異なる前後方向に揺れ動くと、図８に示すように２個の伸縮リンク機構７、７の両端部のヒンジ部材４、４、４、４および３対の両側伸縮リンク機構１１、１１、１１、１１、１１、１１の両端部のヒンジ部材２４、２４、２４、２４、２４、２４、２４、２４、２４、２４、２４、２４の回動によって、その揺れ動きを吸収する。
なお、地震の揺れ動きが停止すると、元の状態へ自動的に戻る。
【００２２】
［発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図９ないし図１１に示す本発明を実施するための第２の形態において、前記本発明を実施するための第１の形態と主に異なる点は、２個の四角枠がつながるパンタグラフ形状の伸縮リンク機構７Ａ、７Ａを用いた点で、このような伸縮リンク機構７Ａ、７Ａを用いて構成した壁用目地カバー装置１Ａにしても、前記本発明を実施するための第１の形態と同様な作用効果が得られる。
【００２４】
図１２ないし図１４に示す本発明を実施するための第３の形態において、前記本発明を実施するための第１の形態と主に異なる点は、中央枢支部１０、１０が２個形成される３対の両側伸縮リンク機構１１Ａ、１１Ａ、１１Ａ、１１Ａ、１１Ａ、１１Ａを用いるとともに、重なり合ってスライド移動する２枚のスライドカバープレート１４、１４、１４Ａ、１４Ａを用いた点で、このような３対の両側伸縮リンク機構１１Ａ、１１Ａ、１１Ａ、１１Ａ、１１Ａ、１１Ａや２枚のスライドカバープレート１４、１４、１４Ａ、１４Ａを用いて構成した壁用目地カバー装置１Ｂにしても、前記本発明を実施するための第１の形態と同様な作用効果が得られる。
【産業上の利用可能性】
【００２５】
本発明は目地部を介して設けられた左右の建物の目地部側外壁面間を覆う壁用目地カバー装置を製造する産業で利用される。
【符号の説明】
【００２６】
１、１Ａ、１Ｂ：壁用目地カバー装置、
２：目地部、        ３：建物、
４：ヒンジ部材、        ５：枢支ピン、  
６：中央枢支部、      ７：伸縮リンク機構、
８：枢支ピン、      ９：中央カバープレート、
１０：中央枢支部、      
１１、１１Ａ：側伸縮リンク機構、
１２：枢支ピン、      １３：支柱、
１４、１４Ａ：スライドカバープレート、
１５：固定カバープレート、  １６：シール剤、
１７：リンク、          １８：枢支部、
１９：枢支ピン、      ２０：中央アーム、
２１：リンク、      ２２：枢支部、
２３：枢支ピン、      ２４：ヒンジ部材、
２５：枢支ピン、      ２６：中央アーム。
【図１】
0005851451.tif 000002
【図２】
0005851451.tif 000003
【図３】
0005851451.tif 000004
【図４】
0005851451.tif 000005
【図５】
0005851451.tif 000006
【図６】
0005851451.tif 000007
【図７】
0005851451.tif 000008
【図８】
0005851451.tif 000009
【図９】
0005851451.tif 000010
【図１０】
0005851451.tif 000011
【図１１】
0005851451.tif 000012
【図１２】
0005851451.tif 000013
【図１３】
0005851451.tif 000014
【図１４】
0005851451.tif 000015